(57)【特許請求の範囲】
【請求項１】
感染性医療廃棄物を収容したプラスチック製容器を載置することができ、且つ、昇降作動自在に構成した載置台の下方に、収容した油をプラスチックの融解点よりも高い温度に加熱でき、且つ、その加熱温度を維持することができる電気加熱器を備えた溶融槽を設けて、上記の載置台を溶融槽の内部に降下作動することにより、上記のプラスチック製容器を上から押え付けながら加熱した油の中に一定時間浸漬して滅菌し、その後、この載置台を上昇作動して部分溶融したプラスチック塊を溶融槽の外に取出すように構成したことを特徴とする感染性医療廃棄物処理装置。
【請求項２】
載置台の上方に、載置台の昇降に同期して昇降作動を行う一方、載置台の降下時には、載置台に乗せたプラスチック製容器の上蓋を上から押えながら降下作動し、且つ、加熱された油によるプラスチック製容器と感染性医療廃棄物の滅菌時には、該容器の上面側を上から押え付けながら滅菌を行い、滅菌後は、部分溶融したプラスチック塊を上から押えながら載置台と共に上昇作動するように構成したアンビルを設けたことを特徴とする請求項１記載の感染性医療廃棄物処理装置。
【請求項３】
滅菌及び部分溶融したプラスチック製容器と感染性医療廃棄物のプラスチック塊を、載置台から回収容器内に上下に積み重ねた状態で回収するに当って、各プラスチック塊の間に耐熱性の離型板を介在しながら回収するように構成したことを特徴とする請求項１又は２記載の感染性医療廃棄物処理装置。
【請求項４】
感染性医療廃棄物を収容したプラスチック製容器を、１個ずつ載置台に乗せる取り入れ手段と、溶融槽に収容した油をプラスチックの融解点よりも高い温度に加熱でき、且つ、その加熱温度を維持することができる油加熱手段と、上記の載置台を降下作動することによって、上記の廃棄物を収容したプラスチック製容器を溶融槽内の加熱された油に一定時間浸漬して滅菌した後、載置台を上昇作動させて滅菌及び部分溶融したプラスチック塊を溶融槽の上方に取り出す載置台昇降手段と、溶融槽から取り出した上記のプラスチック塊を上記の載置台を反転回動することによって搬出部に送り出す反転手段とを備えて成ることを特徴とする感染性医療廃棄物処理装置。
【請求項５】
上記載置台の昇降作動に同期させてアンビルの昇降作動を行い、載置台の降下時にはプラスチック製容器を上から押えた状態でアンビルを降下作動し、且つ、加熱された油による滅菌時には、アンビルが上記のプラスチック製容器を上から押え付けた状態で処理を行い、載置台の上昇時には、滅菌したプラスチック塊の取出し位置まで押え付け状態を維持しながら一体にアンビルを上昇し、その後、プラスチック塊の取出しや上記プラスチック製容器の移乗作業に支障のない位置までアンビルを上昇作動するアンビル昇降手段を具備せしめたことを特徴とする請求項２又は４記載の感染性医療廃棄物処理装置。
【請求項６】
滅菌処理するプラスチック製容器の数を入力する入力手段と、この入力された数だけプラスチック製容器を前記載置台に載置せしめる取り入れ手段、油加熱手段、載置台昇降手段、反転手段、及び、アンビル昇降手段による滅菌処理の各動作プログラムを全自動的に反復する自動制御手段を具備せしめたことを特徴とする請求項４又は５記載の感染性医療廃棄物処理装置。
【請求項７】
感染性医療廃棄物と、この廃棄物を収容したプラスチック製容器を滅菌する油として、植物油を用いることを特徴とする請求項１、２、４、５又は６記載の感染性医療廃棄物処理装置。
【発明の詳細な説明】
【０００１】
【発明の属する技術分野】
本発明は、医療現場で発生する注射器や点滴器具と言った各種の要滅菌性排出物（感染性医療廃棄物）を滅菌し、安全な資源として再利用し易い状態に処理することができる感染性医療廃棄物処理装置に関するものである。
【０００２】
【従来の技術】
従来、医療現場で発生する感染性医療廃棄物の滅菌処理には、焼却処理や薬物処理、若しくは高温・高圧の蒸気処理と言った各種の処理方法が存在する。
【０００３】
【発明が解決しようとする課題】
しかし、上記焼却処理の場合は、被処理物の多くがプラスチックで占められている事から、焼却炉を傷めたり、排気にダイオキシン等の副生を招いたりする問題があり、また、薬物処理の場合はその取扱いが危険で、簡単に処理できない問題があった。加えて、各処理によって生じた副生品の処分には、専門技術や専門の設備が必要であるため、個人の医院や一般の看護婦と言った医療関係者では対応しきれない問題があり、その結果、感染性医療廃棄物に付いては本来滅菌未完了では当該医療施設から搬出不可のものでありながら、実施困難の理由から、未処理・未滅菌のまま産業廃棄物処理業者等に渡されて、そのまま不法投棄されたり、極端な場合には海外輸出さえも行われていた。
【０００４】
そこで本発明の技術的課題は、狭小な医療現場に於いても、また、例えば一般の看護婦や事務職員のような無資格者や未経験者であったとしても、注射器や点滴器具等のような感染性医療廃棄物を安全に、且つ、簡単に滅菌処理することができると共に、処理後のものをそのまま資源として再利用することができるように工夫した感染性医療廃棄物処理装置を提供することである。
【０００５】
【課題を解決するための手段】
（１）  上記の技術的課題を解決するために、本発明では前記請求項１に記載の如く、感染性医療廃棄物を収容したプラスチック製容器を載置することができ、且つ、昇降作動自在に構成した載置台の下方に、収容した油をプラスチックの融解点よりも高い温度に加熱でき、且つ、その加熱温度を維持することができる電気加熱器を備えた溶融槽を設けて、上記の載置台を溶融槽の内部に降下作動することにより、上記のプラスチック製容器を上から押え付けながら加熱した油の中に一定時間浸漬して滅菌し、その後、この載置台を上昇作動して部分溶融したプラスチック塊を溶融槽の外に取出すように構成している。
【０００６】
上記（１）の手段によれば、被処理物の多くがプラスチックで占められている感染性医療廃棄物を、有害ガスやダイオキシンと言った危険物質を発生させることなく、加熱した油を用いて安全に且つ衛生的に滅菌処理できるため、例えば看護婦や事務職員と言った無資格者や未経験者であったとしても、各種の感染性医療廃棄物を確実に滅菌処理することができ、而かも、比較的簡単な設備と油を用いた安全な装置によって、感染性医療廃棄物を低コストにて滅菌処理できる経済性を備えると共に、処理後の部分溶融したプラスチック塊は、注射針等の金属類を取り除くことによって、油化プラント原料や、高炉還元剤やＲＤＦ原料と言った資源としてそのまま再利用することを可能にする。
【０００７】
（２）  また、本発明では前記請求項２に記載の如く、載置台の上方に、載置台の昇降に同期して昇降作動を行う一方、載置台の降下時には、載置台に乗せたプラスチック製容器の上蓋を上から押えながら降下作動し、且つ、加熱された油によるプラスチック製容器と感染性医療廃棄物の滅菌時には、該容器の上面側を上から押え付けながら滅菌を行い、滅菌後は、部分溶融したプラスチック塊を上から押えながら載置台と共に上昇作動するように構成したアンビルを設けるように構成している。
【０００８】
上記（２）の手段によれば、加熱された油によって滅菌されるプラスチック製容器と、これに収容された感染性医療廃棄物は、常にアンビルによって直接又は間接的に上から押え付けられた状態で滅菌処理されるため、処理中に容器や廃棄物が浮き上がったりバラバラになったりすることなく、全てが満辺無く、而かも、減容化した略ピザ形状のプラスチック塊に処理されるものであって、処理後の取り出しや資源活用化への処理作業を容易に行うことを可能にする。
【０００９】
（３）  また、本発明では前記請求項３に記載の如く、滅菌及び部分溶融したプラスチック製容器と感染性医療廃棄物のプラスチック塊を、載置台から回収容器内に上下に積み重ねた状態で回収するに当って、各プラスチック塊の間に耐熱性の離型板を介在しながら回収するように構成している。
【００１０】
上記（３）の手段によれば、略ピザ状に部分溶融及び滅菌処理したプラスチック製容器と感染性医療廃棄物のプラスチック塊を、間に耐熱性の離型板を介在させることによって、プラスチック塊の大塊化を防止しながら回収容器内に上下に積み重ねた状態に回収することを可能にする。
【００１１】
（４）  また、本発明では前記請求項４に記載の如く、感染性医療廃棄物を収容したプラスチック製容器を、１個ずつ載置台に乗せる取り入れ手段と、溶融槽に収容した油をプラスチックの融解点よりも高い温度に加熱でき、且つ、その加熱温度を維持することができる油加熱手段と、上記の載置台を降下作動することによって、上記の廃棄物を収容したプラスチック製容器を溶融槽内の加熱された油に一定時間浸漬して滅菌した後、載置台を上昇作動させて滅菌及び部分溶融したプラスチック塊を溶融槽の上方に取り出す載置台昇降手段と、溶融槽から取り出した上記のプラスチック塊を上記の載置台を反転回動することによって搬出部に送り出す反転手段とを備えるように構成している。
【００１２】
（５）  加えて本発明では、前記請求項５に記載の如く、上記載置台の昇降作動に同期させてアンビルの昇降作動を行い、載置台の降下時にはプラスチック製容器を上から押えた状態でアンビルを降下作動し、且つ、加熱された油による滅菌時には、アンビルが上記のプラスチック製容器を上から押え付けた状態で処理を行い、載置台の上昇時には、滅菌したプラスチック塊の取出し位置まで押え付け状態を維持しながら一体にアンビルを上昇し、その後、プラスチック塊の取出しや上記プラスチック製容器の移乗作業に支障のない位置までアンビルを上昇作動するアンビル昇降手段を具備せしめるように構成している。
【００１３】
上記（４）と（５）の手段によれば、載置台に対する感染性医療廃棄物を収容したプラスチック製容器の搭載と、油の加熱処理と、この油へ上記プラスチック製容器を浸漬して滅菌する処理と、滅菌したプラスチック塊を搬出部に送り出す処理、並びに、加熱された油による処理中にプラスチック製容器の上面側をアンビルで押え付けることによって、部分溶融したプラスチック塊を略ピザ形状に成形する処理から成る感染性医療廃棄物の一連した処理作業を、全てシーケンス制御やコンピュータ制御等の制御手段を用いて自動化することを可能にする。
【００１４】
（６）  また、本発明では前記請求項６に記載の如く、滅菌処理するプラスチック製容器の数を入力する入力手段と、この入力された数だけプラスチック製容器を前記載置台に載置せしめる取り入れ手段、油加熱手段、載置台昇降手段、反転手段、及び、アンビル昇降手段による滅菌処理の各動作プログラムを全自動的に反復する自動制御手段を具備せしめるように構成している。
【００１５】
上記（６）の手段によれば、予め設定入力した数のプラスチック製容器を、順番に、且つ、自動的に滅菌処理すると共に、資源として再利用可能な状態に成形して取り出すことを可能にする。
【００１６】
（７）  また、本発明では前記請求項７に記載の如く、感染性医療廃棄物と、この廃棄物を収容したプラスチック製容器を滅菌する油として、植物油を用いるように構成している。
【００１７】
上記（７）の手段によれば、感染性医療廃棄物の滅菌処理を、取扱いが容易な植物油を用いて安全に、而かも、衛生的に行うことを可能にする。
【００１８】
以上の如くであるから、上記（１）〜（７）に述べた手段によって上述した技術的課題を解決して、前記従来の技術の問題点を解消することができる。
【００１９】
【発明の実施の形態】
以下に、本発明に係る感染性医療廃棄物処理装置の実施の形態を図面と共に説明すると、図１は一部を手動式に構成した本発明に係る処理装置の内部構造を説明した側断面図、図２はその正断面図であって、これ等の図面に於いて、符号１で全体的に示したのは本発明に係る処理装置で、５は処理装置１を構成するキヤビネット型の筐体、１１はこの筐体５の内部１Ｈに設置したプラスチックの溶融槽（滅菌槽）、１２は溶融槽１１内に収容した油Ｂを、以下に述べるプラスチック製容器や感染性医療廃棄物の融解点よりも高い温度（例えば２００℃前後）に加熱することができる加熱用ヒータ、１５は溶融槽１１内に設けた温度センサーで、ヒータ１２はセンサー１５の温度検知に基づいて、油Ｂを一定の温度に加熱し、且つ、その加熱温度を維持できるように構成されている。
【００２０】
油Ｂとしては、例えば、天ぷら料理の廃食油で、且つ、水分と残滓を濾過・除去した食用油が使用されるが、実際には、処理する上記容器及び廃棄物（プラスチック）の液相のものよりも比重が軽く、且つ、その引火点及び発火点がプラスチックの融解点よりも高い性質を持つ植物油（オリーブ油、落花生油、ナタネ油等）であれば、上記以外のものであっても勿論よく、その選択は任意とする。因みに、不乾性油であるオリーブ油は、比重０．９１、引火点２２５℃、発火点３４３℃であり、一方、ポリスチロールの融解点は１６０〜１８０℃、比重は１．０〜１．３であって、いずれも上記の要件を満たしている。
【００２１】
１０は筐体５の内部１Ｈに縦設したガイド軸、１３は内部に例えば使用済みの注射器や点滴器具と言った各種の感染性医療廃棄物（図示省略）を収容したプラスチック製容器Ａを、上面に載置して昇降作動する載置台で、全体を篭構造、又は、金網構造に構成したこの載置台１３は、背面に取付けた吊下杆１３Ｚの上下部分を、上記ガイド軸１０にスライド自在に装着した上下のスライダー１３Ｅ，１３Ｆに夫々取付けることによって、ガイド軸１０に沿って昇降作動するように構成されていて、降下作動すると、上記のプラスチック製容器Ａを乗せた状態のまま前記溶融槽１１の内部に降下して、プラスチック製容器Ａを加熱した油Ｂの内部に浸漬することができる仕組に成っている。
【００２２】
また、１７′は下端部を上記載置台１３の吊下杆１３Ｚに取付けた昇降用のチエーンで、このチエーン１７′の上端部にはフック１Ｚを用いて牽引紐１９Ａが連結されていて、この牽引紐１９Ａの先端側を、筐体５の上面５１に構築した櫓１Ｙの吊下軸１Ｓに吊下げてある滑車１Ｔに掛渡した後、同じく筐体５の上面に設けた巻取りドラム１９に巻付け、且つ、この巻取りドラム１９を昇降用モータ１８Ｍによって正逆任意の方向に回転して、牽引紐１９Ａを巻取りドラム１９に巻取ったり、巻戻したりすることにより、上記のチエーン１７′を上下動して載置台１３を昇降作動する仕組に成っている。尚、１Ｋは滑車１Ｔを吊下軸１Ｓに吊下げるフックを示す。
【００２３】
次に、１６は上記載置台１３の上方に設けたアンビルで、このアンビル１６は、取付アーム１６Ｈを介して上記のガイド軸１０にスライド自在に装着したスライダー１６Ａに取付けられると共に、前記チエーン１７′の途中に取付けたストッパー１７Ｇが、上記取付アーム１６Ｈの底面側に下から係止していて、上記チエーン１７′の上下動に連動して一緒に昇降作動し、その降下時には、自重によって上記プラスチック製容器Ａに被せた上蓋ＡＴの上面を上から押え付ける仕組に成っている。
【００２４】
即ち、上記の載置台１３に上蓋ＡＴを被せたプラスチック製容器Ａを搭載した状態で、上記昇降用モータ１８Ｍを巻戻し方向に回転してチエーン１７′を下方に移動させると、図１に示すようにプラスチック製容器Ａを搭載した載置台１３とアンビル１６が自重によって降下作動し、次いで、図２の如く載置台１３がプラスチック製容器Ａと共に溶融槽１１内に入って、加熱された油Ｂに浸漬する。
【００２５】
この時、チエーン１７′が弛んでストッパー１７Ｇが降下されるため、アンビル１６が自重によって更に降下して図２に示すようにプラスチック製容器Ａの上蓋ＡＴを上から押え付けて、油Ｂ内への浸漬状態を維持する一方、このアンビル１６の自重による押え付けは、加熱された油Ｂがプラスチック製容器Ａとこの中に収容されている感染性医療廃棄物を滅菌している最中も続けられる。
【００２６】
その結果、載置台１３に載置された状態のまま滅菌されて部分溶融したプラスチック塊Ｃは、上からの押圧を受けて図１の左下に示すように丁度ピザ形状に成形される。次いで、前記の昇降用モータ１８Ｍを巻取り方向に回転してチエーン１７′を引上げ作動すると、部分溶融したプラスチック塊Ｃは載置台１３に載置された状態を維持したまま、溶融槽１１の上方に引上げることができる。
【００２７】
また、この引上げが開始されると、チエーン１７′の伸張と同時にストッパー１７Ｇが再び取付アーム１６Ｈの底面に係合してアンビル１６を引上げるため、アンビル１６を図１に示す上方に開いた位置に先行して上昇させて、載置台１３からプラスチック塊Ｃをアンビル１６に邪魔された回収装置４の容器４１Ｂ内に容易に回収することができ、また、この回収時には各プラスチック塊Ｃ…の間に耐熱性の離型板Ｆ…を介在することによって、部分溶融したプラスチック塊Ｃの大塊化を防止することができる。
【００２８】
図３は、上記の離型板Ｆを自動的に各プラスチック塊Ｃの間に介在せしめる自動介在装置の構成図であって、図中、８は底面８５に複数のローラ８４…を取付けた離型板Ｆの収容ボックスで、このボックス８の出口には、バネ機構８２によって押圧された制止ローラ８１が設けられていて、このバネ機構８２をソレノイド等の作動装置を用いて滑り板３２上を滑り降りて来るプラスチック塊Ｃのタイミングに合せて引上げ作動することにより、離型板Ｆを回収容器４１Ｂ内に積み込まれる各プラスチック塊Ｃ…の間に１枚ずつ自動的に介在できる仕組に成っている。
【００２９】
尚、図中Ｅは風冷によってピザ状に固相化したプラスチック塊、７は制御ボックス７１にモータ１８Ｍやヒータ１２等の操作ボタン７２…を設けることによって構成した操作盤、５２は開閉自在に構成した筐体５の点検扉で、５４はそのキヤビネットキー、６は筐体５に設けた排気装置（換気装置）で、６２はその排気ダクトを示す。
【００３０】
また、図２には上述した本発明に係る処理装置の構成を筐体５の内部１Ｈに左右２組設けて、感染性医療廃棄物の滅菌処理を左右２組の装置によって効率的に行う構成が示されているが、これは実施の一例であって、処理装置を何組併設するかは任意である。
【００３１】
更に図２に於いて、Ｚ１は溶融槽１１内に於ける上記載置台１３の滅菌レベル（最下点レベル）を示し、Ｚ３は載置台１３にプラスチック製容器Ａを乗せる載置レベルで、Ｚ４はアンビル１６のホームポジションを示す。
【００３２】
次に、図４は全自動式に構成した本発明に係る処理装置１の内部構造を説明した側断面図であって、符号５で示したキヤビネット型筐体の内部には、図７に示すように上下にアンビル１６と載置台１３を昇降作動自在に装着し、且つ、周面にこれ等アンビル１６と載置台１３を移動するためのカム溝１７Ａと１７Ｂを螺旋状に形成すると共に、昇降用モータ１８Ｍによって正逆回転自在に構成した昇降用の円筒カム軸１７が回転自在に取付けられている。
【００３３】
また、上記円筒カム軸１７の下端部は、前記図１と図２に示した実施例と同様に油Ｂを収容し、且つ、加熱用のヒータ１２と温度センサー１５を備えた構造の溶融槽１１の内部に上から挿入されていて、上記モータ１８Ｍによる円筒カム軸１７の回転により、載置台１３に載置された状態で降下して来る感染性医療廃棄物を収容したプラスチック製容器Ａを、溶融槽１１内の加熱された油Ｂ内に一定時間浸漬して、これを滅菌処理する仕組に成っている。
【００３４】
尚、図７に於いて符号Ｙで示した間隔は、上記載置台１３を昇降するカム溝１７Ｂのピッチで、同じく符号Ｘで示した間隔は、上記アンビル１６を昇降するカム溝１７Ａのピッチである。両ピッチの間隔ＹとＸの関係は、Ｘ＞Ｙに構成されているため、円筒カム軸１７が回転してプラスチック製容器Ａを乗せた載置台１３が降下を始めると、上方のアンビル１６が載置台１３の降下ストロークよりも大きなストロークで降下して、プラスチック製容器Ａが溶融槽１１の加熱された油Ｂに浸漬された時には、アンビル１６がプラスチック製容器Ａの上蓋ＡＴを上から押圧した状態に成って降下するため、浸漬時にプラスチック製容器Ａが浮き上がらないように上から押し付けることができると共に、上記アンビル１６の押圧作用は、加熱した油Ｂがプラスチック製容器Ａとその収容物を滅菌している時にも継続されるため、部分溶融したプラスチック塊Ｃを略ピザ形状に加圧成形することができる仕組に成っている。
【００３５】
図４に於いて、Ｚ１は載置台１３が溶融槽１１内に上記載置台１３の滅菌レベル（最下点レベル）、Ｚ２は滅菌を終えたプラスチック塊Ｃを載置台１３から滑り板３２を経て搬出用コンベヤ３に送り出す反転レベル、Ｚ３はプラスチック製容器Ａを載置台１３に移乗させる移乗レベル、Ｚ４はアンビル１６のホームポジションを示す。
【００３６】
更に図中、２は上記のプラスチック製容器Ａを移乗レベルＺ３の位置で載置台１３に自動的に移乗させる自動移乗装置であって、この移乗装置２は、プラスチック製容器Ａをその自重によって移乗口２２の位置にスライドさせる傾斜スライダー２１と、移乗口２２にスライドして来たプラスチック製容器Ａを、取り入れ用モータ２３Ｍによって作動して上記の載置台１３に移乗せしめる取り入れ装置２３とによって構成されている。
【００３７】
次に、１４は上記の円筒カム軸１７に近接させて並設したスライド軸１８Ａに対して、上下作動自在に装着した反転爪で、図５並びに図６に示すようにスライド基部１４Ａをこのスライド軸１８Ａに装着した反転爪１４は、図４に示した反転用モータ１８Ｍの回転による牽引紐１８の巻取り回転と、巻戻し回転（正逆回転）に従って自由にスライド軸１８Ａに沿って昇降作動するように構成されていて、上記載置台１３の降下時には反転爪１４を一緒に滅菌レベルＺ１まで降下し、載置台１３の上昇時には一緒に上昇して、載置台１３が反転レベルＺ２に達した時に、図６に示すように二重底構造に構成した載置台１３の内側台１３Ｂ自身、又は、内側台１３Ｂに設けた突片（図示せず）を、上昇する反転爪１４が外側台１３Ａに設けた挿通溝１３Ｔの間を通って押し上げ回動するため、内側台１３Ｂは先端側の枢着部１３Ｃを支点にして反転回動して、内部に載置している滅菌済みのピザ状プラスチック塊Ｃを、滑り板３２の上に落し込んで、前述した排出用コンベヤ３に送り出す仕組に成っている。
【００３８】
更に図４に於いて、３３Ｍは上記コンベヤ３を回転する排出用モータ、３１は排出用コンベヤ３を架設した排出室、４はプラスチック塊Ｃを水蓄保管する保管装置、４１Ａは水道水Ｄを収容した水蓄槽、４３と４４は水道水の給水管と溢水管、４２は水蓄槽４１Ａ内に取り出し自在に沈降させた脱水籠で、排出用コンベヤ３によって搬送されて来るプラスチック塊Ｃは、この脱水籠４２に落し込まれて冷却、保管される。尚、Ｅ…は冷却、保管中の固相化したプラスチック塊を示す。
【００３９】
また、６は排気用フアン６１と排気ダクト６２′を備えた排気装置で、この排気装置６の排気作用を、吸引ダクト６２，６３並びにフード６４を介して上記排出室３１と溶融槽１１の周辺部及び上方に及ぼして汚染空気を吸引した後、上記の排気ダクト６２′を通して脱臭設備に送出するように構成している。また、７は操作盤７１と操作ボタン７２から成る制御装置で、本発明ではこの操作盤７１の操作によって、処理するプラスチック製容器Ａの個数を入力設定したり、油Ｂの加熱温度や、加熱された油Ｂに対するプラスチック製容器Ａの浸漬時間（溶解時間）、或は、載置台１３の昇降スピード等をコントロールできる仕組に成っている。
【００４０】
図８は、上記制御装置７の電気的構成を説明したブロック図であって、７Ａは制御部の中心を構成するＣＰＵ、７Ｂはシステムプログラムを格納したメモリ、７Ｄはこれ等ＣＰＵ７Ａとメモリ７Ｂの間にバス７Ｃを介して接続したインターフエイスで、このインターフエイス７Ｄに上述した昇降用モータ１８Ｍ、反転用モータ１９Ｍ、取り入れ用モータ２３Ｍ、排出用モータ３３Ｍ、加熱用ヒータ２、温度センサー１５、並びに、操作盤７１が接続されていて、夫々がＣＰＵ７Ａの監の下でメモリ７Ｂのプログラムに従って制御作動する仕組に成っている。
【００４１】
【実施例】
Ｂ型肝炎ウイルスやＣ型肝炎ウイルスに汚染された注射針付注射器や、採血済シリンジと輸血済のポリエチレン製の袋及びチユーブを含む各種のプラスチック製医療排出物（感染性医療廃棄物）を、３０メッシュ程度の木綿布地製袋に入れ、これを容量が２０リットルで、上蓋ＡＴを備えた純度９５％ポリプロピレン製容器Ａに収容したものを載置台１３に搭載し、且つ、上からアンビル１６で押え付けた状態で、溶融槽１１内の１５０±３℃に加熱した油Ｂ（菜種油系の廃食油４０リットル）に１２分間浸漬することによって、上蓋ＡＴを含む容器Ａと、これに収容した感染性医療廃棄物を略ピザ形状のプラスチック塊Ｃに滅菌及び部分溶融することができた。
【００４２】
この様に滅菌処理及び部分溶融されたプラスチック塊Ｃ又はＥからは、その後の７２時間の培養試験に於いてもウイルス菌の存在は認められず、これを油化した後は、プラスチック塊Ｃ又はＥの約７０％がＡ重油相当品に再生されて、ボイラー燃料として使用することができた。
【００４３】
【発明の効果】
以上述べた次第で、本発明に係る感染性医療廃棄物処理装置によれば、廃棄処理が困難であって感染性医療廃棄物を、狭小な医療現場でも容易に滅菌処理することができ、また、処理作業は無資格者や未経験者であっても容易に行える簡便性を備えると共に、特殊な薬剤や高エネルギーによる化学反応や物理現象に依らないため、周辺の環境を汚染することなく安全に、且つ、衛生的に処理できる利点を備えるものであって、処理後の部分溶融したプラスチック塊を資源として活用できる点と相俟って、各種医療施設等に於いて用いて洵に好適なものである。
【図面の簡単な説明】
【図１】一部手動式に構成した本発明に係る感染性医療廃棄物処理装置の内部構造を説明した正断面図である。
【図２】図１に示した処理装置の正断面図である。
【図３】本発明で用いる離型板介在装置の一例を説明した構成図である。
【図４】全自動化した本発明に係る感染性医療廃棄物処理装置の内部構造を説明した側断面図である。
【図５】載置台と反転爪の構成を説明した一部断面側面図である。
【図６】反転爪が載置台を反転してプラスチック塊を排出している状態を説明した一部断面側面図である。
【図７】円筒カム軸の構成を説明した構成図である。
【図８】全自動化した本発明の電気的構成を説明したブロック図である。
【符号の説明】
１              処理装置
３              排出用コンベヤ
５              筐体
１１            溶融槽
１２            ヒータ
１３            載置台
１６            アンビル
１７            円筒カム軸
１７Ａ          アンビル用カム溝
１７Ｂ          載置台用カム溝
１７′          チエーン
Ａ              感染性医療廃棄物を収容したプラスチック製容器
ＡＴ            上蓋
Ｂ              油
Ｃ              部分溶融及び滅菌されたプラスチック塊
Ｆ              離型板
【図１】
0004090697.tif 000002
【図２】
0004090697.tif 000003
【図３】
0004090697.tif 000004
【図４】
0004090697.tif 000005
【図５】
0004090697.tif 000006
【図６】
0004090697.tif 000007
【図７】
0004090697.tif 000008
【図８】
0004090697.tif 000009